(57)【要約】【課題】コネクタハウジングに端子金具を誤りなく挿入することを可能とするとともに、コネクタハウジングの不意な脱落を防止できるハウジング保持治具を提供する。【解決手段】ハウジング保持治具１は治具本体１０とスライド部材１１とスライド機構１２と位置決め機構１３を備えている。治具本体１０には導出方向Ｋに対し直交する方向に沿ってコネクタハウジング２が挿入されるハウジング保持用凹部１５が設けられている。スライド部材１１は導出方向Ｋに対し直交する方向のコネクタハウジング２の断面形状と一致するハウジング用凹部１６が設けられている。スライド部材１１はスライド機構１２によってコネクタハウジング２がハウジング保持用凹部１５内に収容された収容位置とハウジング保持用凹部１５内から抜け出た抜出位置とに亘ってコネクタハウジング２の挿入方向Ｉに沿って治具本体１０にスライド自在に設けられている。【選択図】図１
2008010247.tif 000002
【特許請求の範囲】
【請求項１】
コネクタハウジングを保持するハウジング保持治具であって、
一つの外表面から凹に形成されかつ前記コネクタハウジングからの電線の導出方向に対し直交する方向に沿って、前記コネクタハウジングが挿入されるハウジング保持用凹部が設けられた治具本体と、
前記ハウジング保持用凹部に対する前記コネクタハウジングの挿入方向に沿って前記治具本体にスライド自在に設けられているとともに、前記電線の導出方向に対し直交する方向の前記コネクタハウジングの断面形状と一致して内側に前記コネクタハウジングの一部を収容することが可能なハウジング用凹部が設けられたスライド部材と、を備え、
前記スライド部材が、前記ハウジング用凹部内に一部が収容されたコネクタハウジングが前記ハウジング保持用凹部内に収容された収容位置と、前記ハウジング保持用凹部内から抜け出た抜出位置とに亘って移動自在であることを特徴とするハウジング保持治具。
【請求項２】
前記スライド部材を前記収容位置と前記抜出位置とのうち少なくとも一方に位置決めする位置決め機構を備えたことを特徴とする請求項１記載のハウジング保持治具。
【発明の詳細な説明】
【技術分野】
【０００１】
本発明は、コネクタハウジングの端子収容室に端子金具を挿入する際などに用いられるハウジング保持治具に関する。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と、該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する端子収容室を複数備えている。
【０００４】
前記ワイヤハーネスを組み立てる際には、まず電線を所定の長さに切断した後、該電線の端部などに端子金具を取り付ける。必要に応じて電線同士を接続する。その後、端子金具をコネクタハウジングの所望の端子収容室内に挿入する。こうして、前述したワイヤハーネスを組み立てる。
【０００５】
前述した端子収容室内に端子金具を挿入する際には、ワイヤハーネスを組み立てる際に用いられる付線板上に設置されたハウジング保持治具１００（図１７ないし図１９に示す）にコネクタハウジング１０３を保持して行うことがある。
【０００６】
図１７ないし図１９に例示されたハウジング保持治具１００は、前述した付線板上に設置されるブロック状の治具本体１０１と、該治具本体１０１の上面（一つの外表面）１０１ａから凹に形成されたハウジング保持用凹部１０２と、を備えている。ハウジング保持用凹部１０２内には、図１８に示すように、コネクタハウジング１０３からの電線１０４の導出方向に対し直交する方向に沿って、前記コネクタハウジング１０３が挿入されて、当該コネクタハウジング１０３を収容して保持する。
【０００７】
また、前述したハウジング保持治具１００は、前述したハウジング保持用凹部１０２の内面に、コネクタハウジング１０３の品番識別用の凹みや突起を設けることで、特定の品番のコネクタハウジング１０３のみを保持することを可能としている。
【発明の開示】
【発明が解決しようとする課題】
【０００８】
前述した従来のハウジング保持治具１００は、電線１０４の導出方向に対して直交する方向に沿って、ハウジング保持用凹部１０２内にコネクタハウジング１０３を挿入するので、コネクタハウジング１０３の一つの側面が露出する。このため、ハウジング保持治具１００は露出する側面の形状が違う誤った品番のコネクタハウジング１０３を保持してしまうことがあった。即ち、前述したような場合には、ハウジング保持治具１００は、複数の品番のコネクタハウジング１０３を保持してしまう。このため、従来のハウジング保持治具１００は、誤った品番のコネクタハウジング１０３の保持を防止することが困難となる場合があった。
【０００９】
また、前述した従来のハウジング保持治具１００は、ハウジング保持用凹部１０２内にコネクタハウジング１０３を挿入するだけであるので、付線板上に付線（配線又は配索ともいう）された電線１０４にワイヤハーネスを構成するグロメットやプロテクタを取り付ける際に、端子収容室内に収容された端子金具１０５に取り付けられた電線１０４が引っ張られると、コネクタハウジング１０３がハウジング保持用凹部１０２内から抜け出ることがあった。このように、前述した従来のハウジング保持治具１００では、電線１０４などが引っ張られると、コネクタハウジング１０３が不意に脱落することがあった。
【００１０】
したがって、本発明の目的は、コネクタハウジングに端子金具を誤りなく挿入することを可能とするとともに、コネクタハウジングの不意な脱落を防止できるハウジング保持治具を提供することにある。
【課題を解決するための手段】
【００１１】
前記課題を解決し目的を達成するために、請求項１に記載の本発明のハウジング保持治具は、コネクタハウジングを保持するハウジング保持治具であって、一つの外表面から凹に形成されかつ前記コネクタハウジングからの電線の導出方向に対し直交する方向に沿って、前記コネクタハウジングが挿入されるハウジング保持用凹部が設けられた治具本体と、前記ハウジング保持用凹部に対する前記コネクタハウジングの挿入方向に沿って前記治具本体にスライド自在に設けられているとともに、前記電線の導出方向に対し直交する方向の前記コネクタハウジングの断面形状と一致して内側に前記コネクタハウジングの一部を収容することが可能なハウジング用凹部が設けられたスライド部材と、を備え、前記スライド部材が、前記ハウジング用凹部内に一部が収容されたコネクタハウジングが前記ハウジング保持用凹部内に収容された収容位置と、前記ハウジング保持用凹部内から抜け出た抜出位置とに亘って移動自在であることを特徴としている。
【００１２】
請求項２に記載の本発明のハウジング保持治具は、請求項１記載のハウジング保持治具において、前記スライド部材を前記収容位置と前記抜出位置とのうち少なくとも一方に位置決めする位置決め機構を備えたことを特徴としている。
【００１３】
請求項１に記載した本発明のハウジング保持治具によれば、治具本体にコネクタハウジングの断面形状と一致して内側にコネクタハウジングの一部を収容するハウジング用凹部を設けたスライド部材を治具本体に対して、スライド自在に設けている。そして、ハウジング保持治具は、スライド部材をスライドすることで、ハウジング保持用凹部内にコネクタハウジングを出し入れするようになっている。
【００１４】
このように、ハウジング保持治具は、スライド部材が前述したハウジング用凹部を設けているので、コネクタハウジングの全周の形状がハウジング用凹部の内縁と合致するコネクタハウジングのみを保持することができ、合致しないコネクタハウジングを保持することができない。
【００１５】
また、スライド部材のハウジング用凹部内にコネクタハウジングの一部を収容して、該コネクタハウジングを保持するので、コネクタハウジングの端子収容室内に挿入した端子金具に取り付けられた電線を引っ張られても、ハウジング用凹部の内縁がコネクタハウジングと干渉する。
【００１６】
請求項２に記載した本発明のハウジング保持治具によれば、収容位置と抜出位置とにスライド部材を位置決めする位置決め機構を備えているので、コネクタハウジングの端子収容室内に端子金具を挿入している間にスライド部材が不意に抜出位置に位置付けられることを防止できる。
【発明の効果】
【００１７】
以上説明したように請求項１に記載の本発明によれば、ハウジング保持治具は、スライド部材が前述したハウジング用凹部を設けているので、コネクタハウジングの全周の形状がハウジング用凹部の内縁と合致するコネクタハウジングのみを保持することができ、合致しないコネクタハウジングを保持することができない。このため、ハウジング保持治具は、誤った品番のコネクタハウジングを保持できないとともに、予め定められた一つの品番のコネクタハウジングのみを保持することができる。
【００１８】
また、コネクタハウジングの端子収容室内に挿入した端子金具に取り付けられた電線を引っ張られても、ハウジング用凹部の内縁がコネクタハウジングと干渉するので、コネクタハウジングがハウジング保持用凹部から抜け出ることを防止できる。したがって、コネクタハウジングに端子金具を誤りなく挿入することを可能とでき、コネクタハウジングの不意な脱落を防止することができる。
【００１９】
請求項２に記載の本発明によれば、コネクタハウジングの端子収容室内に端子金具を挿入している間にスライド部材が不意に抜出位置に位置付けられることを防止できる。このため、端子金具の挿入中などに電線が引っ張られても、コネクタハウジングが不意に脱落することを防止できる。
【発明を実施するための最良の形態】
【００２０】
以下、本発明の一実施形態にかかるハウジング保持治具を、図１ないし図１６を参照して説明する。ハウジング保持治具１は、自動車などに配索されるワイヤハーネスを組み立てる際に用いられる治具であって、前述したワイヤハーネスを組み立てる際に用いられる付線板上に設置される。ハウジング保持治具１は、ワイヤハーネスを構成するコネクタのコネクタハウジング２を保持して、当該コネクタハウジング２に電線３付の端子金具４を取り付ける際に用いられる。
【００２１】
コネクタハウジング２は、絶縁性の合成樹脂で構成され、箱状に形成されている。コネクタハウジング２には、端子金具４を収容する端子収容室５が設けられている。また、コネクタハウジング２の外表面には、図３及び図４に示すように、該コネクタハウジング２即ちコネクタの品番識別用の突起６などが設けられている。該突起６の形状や位置は、品番が異なるコネクタハウジング２即ちコネクタ同士では互いに異なる。なお、図示例では、突起６は、図３及び図４中の下面２ａと、図３中の手間側に位置する一方の側面２ｂとに設けられている。突起６は、端子収容室５の長手方向に沿って、直線状に延在している。
【００２２】
ハウジング保持治具１は、図１及び図２に示すように、治具本体１０と、スライド部材１１と、スライド機構１２と、位置決め機構１３（図２に示す）とを備えている。治具本体１０は、絶縁性の合成樹脂で構成され、四角柱状に形成されており、前述した付線板上に設置される。治具本体１０には、スライド用スリット（以下、単にスリットと呼ぶ）１４と、ハウジング保持用凹部（以下、単に凹部と呼ぶ）１５とが設けられている。スリット１４は、治具本体１０の上端部に設けられ、かつ該治具本体１０の一つの外表面としての上面１０ａに開口している。スリット１４は、上面１０ａから付線板に向かって直線状に延在している。
【００２３】
凹部１５は、前述した治具本体１０の上面１０ａから凹に形成され、かつ前述したスリット１４と連通している。凹部１５は、その底面上に他方の側面２ｃが重なる状態で、内側にコネクタハウジング２を収容する。凹部１５内には、コネクタハウジング２から電線３が導出する方向（該電線３、端子金具４及び端子収容室５の長手方向と平行で、以下導出方向と記す）Ｋに対して、直交する方向に沿って、コネクタハウジング２が近づけられて、当該コネクタハウジング２を収容する。即ち、凹部１５は、前述した一方の側面２ｂに設けられた突起６が露出する格好で、コネクタハウジング２を収容する。
【００２４】
スライド部材１１は、絶縁性の合成樹脂で構成され、厚手の平板上に形成されている。スライド部材１１は、前述したスリット１４内に配置されて、スライド機構１２によって、当該スリット１４の長手方向に沿って移動自在に支持されている。このため、スライド部材１１は、前述した凹部１５へのコネクタハウジング２の挿入方向Ｉ（図１などに示す）に沿って、スライド自在に設けられている。
【００２５】
スライド部材１１には、ハウジング用凹部１６が設けられている。ハウジング用凹部１６は、スリット１４内に収容されたスライド部材１１のハウジング保持用凹部１５側の表面に設けられ、当該表面から凹に形成されている。ハウジング用凹部１６は、スライド部材１１が後述する収容位置に位置付けられると、前述した凹部１５と連通する。
【００２６】
ハウジング用凹部１６は、その平面形状がコネクタハウジング２の前面２ｄ（図３に示す）の平面形状に沿って形成されており、コネクタハウジング２の一部としての前端部２ｅを収容する。このため、ハウジング用凹部１６は、コネクタハウジング２からの電線３の導出方向Ｋに対し直交する方向の断面形状と一致している。なお、前面２ｄとは、コネクタハウジング２の電線３が導出される側と反対側の面であり、前端部２ｅとは、コネクタハウジング２前面２ｄを含んだ該前面２ｄ寄りの箇所を示している。このため、ハウジング用凹部１６には、前述した突起６に対応した箇所１６ａが設けられている。
【００２７】
スライド機構１２は、図２に示すように、支持棒１７と、スライド孔１８とを備えている。支持棒１７は、直線状に延在した棒状に形成され、治具本体１０内に埋設されて、当該治具本体１０に取り付けられる。支持棒１７は、スリット１４の互いに相対する内面同士に掛け渡された格好で、治具本体１０に取り付けられている。スライド孔１８は、スライド部材１１を貫通しており、スリット１４の長手方向即ち凹部１５へのコネクタハウジング２の挿入方向Ｉに沿って、直線状に延在している。スライド孔１８には、支持棒１７が通る。スライド孔１８内を支持棒１７が、当該スライド孔１８の長手方向に沿って移動自在となる。
【００２８】
スライド機構１２は、スライド孔１８内を支持棒１７が移動自在となることで、ハウジング用凹部１６内に前端部２ｅが収容されたコネクタハウジング２が、凹部１５内に収容された収容位置と、当該凹部１５内から抜け出た抜出位置とに亘って、スライド部材１１を移動自在に支持している。
【００２９】
位置決め機構１３は、図２に示すように、磁石１９と、二つの磁性部材２０とを備えている。磁石１９は、勿論、所謂永久磁石であって、図６に示すように、治具本体１０内に埋設されているとともに、前述したスリット１４内に露出している（臨んでいる又は面しているともいう）。二つの磁性部材２０は、磁性材料で構成され、かつ、図７に示すように、スライド部材１１内に埋設されているとともに、該スライド部材１１の磁石１９と相対する表面に露出している。二つの磁性部材２０は、スライド孔１８の長手方向即ち凹部１５へのコネクタハウジング２の挿入方向に沿って、互いに間隔をあけて配置される。
【００３０】
前述した二つの磁性部材２０のうち一方の磁性部材２０は、図１４に示すように、スライド部材１１が前述した収容位置に配置されると、前述した磁石１９と近接して相対し、他方の磁性部材２０は、図１３に示すように、スライド部材１１が前述した抜出位置に配置されると、前述した磁石１９と近接して相対する。前述した二つの磁性部材２０は、磁石１９と近接して相対すると、勿論、当該磁石１９に吸引される。前述した位置決め機構１３は、二つの磁性部材２０各々が、磁石１９と相対して当該磁石１９に吸引されることで、スライド部材１１を収容位置と抜出位置に位置決めするとともに、位置決めした収容位置と抜出位置から当該スライド部材１１が位置ずれすることを規制する。
【００３１】
前述した構成のハウジング保持治具１を用いて、コネクタハウジング２の端子収容室５内に端子金具４を挿入して、コネクタを組み立てる際には、まず、図８に示すように、スライド部材１１を前述した抜出位置に位置付ける。そして、端子収容室５の長手方向即ち前述した電線３の導出方向Ｋに沿って、ハウジング用凹部１６内にコネクタハウジング２の前端部２ｅを近づけて、図９に示すように、当該ハウジング用凹部１６内にコネクタハウジング２の前端部２ｅを収容する。
【００３２】
その後、スライド部材１１を抜出位置から収容位置に向かって移動して、スライド部材１１に前端部２ｅが収容されたコネクタハウジング２を前述した凹部１５内に挿入する。そして、図１０に示すように、凹部１５内にコネクタハウジング２を収容して、スライド部材１１を前述した収容位置に位置付ける。そして、適宜、端子収容室５内に電線３付の端子金具４を挿入する。
【００３３】
図１１に示すように、付線板上に設置された全てのハウジング保持治具１に保持されたコネクタハウジング２の端子収容室５に端子金具４が挿入されると、当該電線３の適宜箇所にハーネス用チューブ、ハーネス用プロテクタ及びハーネス用グロメットなどの外装品などを取り付けたり、外周にハーネス用テープを巻く。そして、図１２に示すように、スライド部材１１を抜出位置に位置付けて、ハウジング用凹部１６からコネクタハウジング２を取り外す。そして、前述した工程と同様に、次のコネクタハウジング２に端子金具４を取り付ける。
【００３４】
本実施形態によれば、治具本体１０にコネクタハウジング２の断面形状としての前面２ｄと平面形状が一致して内側にコネクタハウジング２の前端部２ｅを収容するハウジング用凹部１６を設けたスライド部材１１を治具本体１０に対して、スライド自在に設けている。そして、ハウジング保持治具１は、スライド部材１１をスライドすることで、凹部１５内にコネクタハウジング２を出し入れするようになっている。
【００３５】
ハウジング保持治具１は、スライド部材１１が前述したハウジング用凹部１６を設けているので、コネクタハウジング２の全周の形状がハウジング用凹部１６の内縁と合致するコネクタハウジング２のみを保持することができ、合致しないコネクタハウジング２２（図１５及び図１６に示す）を保持することができない。
【００３６】
このため、ハウジング保持治具１は、誤った品番のコネクタハウジング２２を保持できないとともに、予め定められた一つの品番のコネクタハウジング２のみを保持することができる。
【００３７】
また、スライド部材１１のハウジング用凹部１６内にコネクタハウジング２の前端部２ｅを収容して、該コネクタハウジング２を保持するので、コネクタハウジング２の端子収容室５内に挿入した端子金具４に取り付けられた電線３が引っ張られても、ハウジング用凹部１６の内縁がコネクタハウジング２と干渉する。このため、コネクタハウジング２の端子収容室５内に挿入した端子金具４に取り付けられた電線３が引っ張られても、コネクタハウジング２が凹部１５から抜け出ることを防止できる。
【００３８】
したがって、コネクタハウジング２に端子金具を誤りなく挿入することを可能とでき、コネクタハウジング２の不意な脱落を防止することができる。
【００３９】
収容位置と抜出位置とにスライド部材１１を位置決めする位置決め機構１３を備えているので、コネクタハウジング２の端子収容室５内に端子金具４を挿入している間にスライド部材１１が不意に抜出位置に位置付けられることを防止できる。このため、端子金具４の挿入中などに電線３が引っ張られても、コネクタハウジング２が不意に脱落することを防止できる。
【００４０】
前述した実施形態では、支持棒１７とスライド孔１８とを設けてスライド機構１２を構成したが、本発明では、この構成に限定することなく、スライド機構１２を種々の構成としても良い。また、前述した実施形態では、位置決め機構１３は、収容位置と抜出位置との双方でスライド部材１１を位置決めするようにしているが、本発明では、位置決め機構１３は、収容位置と抜出位置との少なくとも一方でスライド部材１１を位置決めしても良く、本発明では、位置決め機構１３を設けなくて良い。
【００４１】
さらに、前述した実施形態では、磁石１９と磁性部材２０とで位置決め機構１３を構成したが、本発明では、位置決め機構１３を、周知のプランジャと凹みなどの他の構成にして良い。また、前述した実施形態では、磁石１９を治具本体１０に設け、磁性部材２０をスライド部材１１に設けたが、本発明では、磁石１９をスライド部材１１に設けて、磁性部材２０を治具本体１０に設けても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４３】
【図１】本発明の一実施形態に係るハウジング保持治具の構成を示す斜視図である。
【図２】図１に示されたハウジング保持治具を分解して示す斜視図である。
【図３】図１に示されたハウジング保持治具に保持されるコネクタハウジングの側面図である。
【図４】図３中の矢印ＩＶ方向からみたコネクタハウジングの前面の平面図である。
【図５】図２に示されたハウジング保持治具のスライド部材を背面からみた斜視図である。
【図６】図２中のＶＩ−ＶＩ線に沿う断面図である。
【図７】図２中のＶＩＩ−ＶＩＩ線に沿う断面図である。
【図８】図１に示されたハウジング保持治具のスライド部材を抜出位置に位置付けた状態を示す斜視図である。
【図９】図８に示されたスライド部材にコネクタハウジングを保持した状態を示す斜視図である。
【図１０】図９に示されたスライド部材を収容位置に位置付けた状態を示す斜視図である。
【図１１】図１０に示されたコネクタハウジングの端子収容室内に端子金具を挿入した状態を示す斜視図である。
【図１２】図１１に示されたスライド部材を抜出位置に位置付けた状態を示す斜視図である。
【図１３】図８中のＸＩＩＩ−ＸＩＩＩ線に沿う断面図である。
【図１４】図１０中のＸＩＶ−ＸＩＶ線に沿う断面図である。
【図１５】図４に示されたコネクタハウジングの他の品番のコネクタハウジングの前面の平面図である。
【図１６】図４に示されたコネクタハウジングの別の他の品番のコネクタハウジングの前面の平面図である。
【図１７】従来のハウジング保持治具の構成を示す斜視図である。
【図１８】図１７に示されたハウジング保持治具にコネクタハウジングを保持した状態を示す斜視図である。
【図１９】図１８に示されたハウジング保持治具に保持されたコネクタハウジングの端子収容室内に端子金具を挿入した状態を示す斜視図である。
【符号の説明】
【００４４】
１  コネクタ保持治具
２  コネクタハウジング
２ｅ  前端部（一部）
３  電線
１０  治具本体
１０ａ  上面（一つの外表面）
１１  スライド部材
１３  位置決め機構
１５  ハウジング保持用凹部
１６  ハウジング用凹部
Ｉ  挿入方向
Ｋ  導出方向
【図１】
2008010247.tif 000003
【図２】
2008010247.tif 000004
【図３】
2008010247.tif 000005
【図４】
2008010247.tif 000006
【図５】
2008010247.tif 000007
【図６】
2008010247.tif 000008
【図７】
2008010247.tif 000009
【図８】
2008010247.tif 000010
【図９】
2008010247.tif 000011
【図１０】
2008010247.tif 000012
【図１１】
2008010247.tif 000013
【図１２】
2008010247.tif 000014
【図１３】
2008010247.tif 000015
【図１４】
2008010247.tif 000016
【図１５】
2008010247.tif 000017
【図１６】
2008010247.tif 000018
【図１７】
2008010247.tif 000019
【図１８】
2008010247.tif 000020
【図１９】
2008010247.tif 000021